(57)【要約】【課題】隣接する厚みの異なるパネル部材同士の表面を面一に揃えることが可能なパネル部材の取付構造を提供する。【解決手段】左右方向に離間する複数の支柱２と、支柱２に取付けられるパネル部材４とを備え、１つの支柱２に対して２枚のパネル部材４を左右に隣接させて取付けられる間仕切パネル装置１におけるパネル部材４を支柱２に取付けるための取付構造であって、厚みの異なる隣接するパネル部材４Ａ〜４Ｃ同士の前面が面一になるように前後方向の位置が異なる少なくとも２つの支持部７４，７６，７８を有する取付部材７が支柱２に取付けられ、取付部材７の支持部７４，７６，７８に対して、隣接するパネル部材４Ａ〜４Ｃがそれぞれ取付けられる。【選択図】図４
2020070698.tif 000002
【特許請求の範囲】
【請求項１】
左右方向に離間する複数の支柱と、前記支柱に取付けられるパネル部材とを備え、１つの支柱に対して２枚の前記パネル部材を左右に隣接させて取付けられる間仕切パネル装置における前記パネル部材を前記支柱に取付けるための取付構造であって、
厚みの異なる隣接する前記パネル部材同士の前面が面一になるように前後方向の位置が異なる少なくとも２つの支持部を有する取付部材が前記支柱に取付けられ、前記取付部材の前記支持部に対して、隣接する前記パネル部材がそれぞれ取付けられることを特徴とするパネル部材の取付構造。
【請求項２】
前記取付部材の少なくとも２つの前記支持部は、一体に形成されていることを特徴とする請求項１に記載のパネル部材の取付構造。
【請求項３】
前記取付部材は、左右方向に分割された複数の分割部材により構成されており、これら分割部材は前記支持部をそれぞれ有し、それぞれが前記支柱に対して固定されていることを特徴とする請求項１に記載のパネル部材の取付構造。
【請求項４】
前記取付部材の支持部には、フックを係止可能なフック孔が形成されていることを特徴とする請求項１ないし３のいずれかに記載のパネル部材の取付構造。
【請求項５】
前記取付部材には、前記支柱の側方に延びる前記支持部を構成する延出片を備え、前記延出片にフックを係止可能なフック孔が形成されていることを特徴とする請求項１ないし４のいずれかに記載のパネル部材の取付構造。
【請求項６】
前記取付部材は、左右非対称に形成されており、天地反転した状態で前記支柱に取付け可能であることを特徴とする請求項１ないし５のいずれかに記載のパネル部材の取付構造。
【発明の詳細な説明】
【技術分野】
【０００１】
本発明は、空間を区画する間仕切パネル装置におけるパネル部材の取付構造に関する。
【背景技術】
【０００２】
オフィス、会議室、ショールーム、店舗等の室内を所定の区画に仕切り、所望の小区画のレイアウトを実現するために、複数のパネル部材を左右または前後等の所定の方向に連設してなる間仕切パネル装置が使用されている。
【０００３】
例えば、特許文献１に示される間仕切パネル装置は、地面に沿って左右方向に延びる地レールと、天井に沿って左右方向に延びる天レールと、地レール及び天レール間の間に左右方向に所定間隔離間して複数配置される支柱と、支柱の前後面に係止されるパネル部材と、を備え、１つの支柱に対して２枚のパネル部材が左右に隣接されて取付けられている。この間仕切パネル装置におけるパネル部材の取付構造は、支柱とパネル部材との対向面にそれぞれ設けられる係止孔と、支柱の係止孔とパネル部材の係止孔に係止されるフックを前後に備える係止具と、により構成されている。パネル部材が支柱の前後面に係止された状態にあっては、パネル部材の裏面が支柱の前後面に接触しているので、パネル部材設置後に該パネル部材ががたつくことを防止できるようになっている。
【先行技術文献】
【特許文献】
【０００４】
【特許文献１】特許第５９２９６５０号公報（第６頁、第４図）
【発明の概要】
【発明が解決しようとする課題】
【０００５】
近年では、間仕切パネル装置のデザイン性や機能性に応じて多種多様なパネル部材が使用されることがあり、パネル部材の種類によっては、パネル部材の厚みが異なることがある。このような厚みが異なるパネル部材を左右方向に連設させる場合に、特許文献１のような一般的なパネル部材の取付構造を採用すると、連設されるパネル部材の表面の前後方向の位置が異なり、パネル部材間に段差が生じ、パネル部材に左右方向の連続性を持たせることができず、美観を損なうという問題があった。
【０００６】
本発明は、このような問題点に着目してなされたもので、隣接する厚みの異なるパネル部材同士の表面を面一に揃えることが可能なパネル部材の取付構造を提供することを目的とする。
【課題を解決するための手段】
【０００７】
前記課題を解決するために、本発明のパネル部材の取付構造は、
左右方向に離間する複数の支柱と、前記支柱に取付けられるパネル部材とを備え、１つの支柱に対して２枚の前記パネル部材を左右に隣接させて取付けられる間仕切パネル装置における前記パネル部材を前記支柱に取付けるための取付構造であって、
厚みの異なる隣接する前記パネル部材同士の前面が面一になるように前後方向の位置が異なる少なくとも２つの支持部を有する取付部材が前記支柱に取付けられ、前記取付部材の前記支持部に対して、隣接する前記パネル部材がそれぞれ取付けられることを特徴としている。
この特徴によれば、隣接するパネル部材は、それぞれ前後方向の位置が異なる取付部材の支持部に対して取付けられることで、支柱の表面と隣接するパネル部材同士の表面との前後方向の距離がそれぞれ一致するため、隣接する厚みの異なるパネル部材同士の表面を面一に揃えることができる。
【０００８】
前記取付部材の少なくとも２つの前記支持部は、一体に形成されていることを特徴としている。
この特徴によれば、パネル部材を支持するのに十分な強度で支持部を設けることができる。
【０００９】
前記取付部材は、左右方向に分割された複数の分割部材により構成されており、これら分割部材は前記支持部をそれぞれ有し、それぞれが前記支柱に対して固定されていることを特徴としている。
この特徴によれば、前後方向の位置が異なる様々な支持部を有する分割部材を組み合わせて取付部材を構成することができ、様々な厚みのパネル部材に対応することができる。
【００１０】
前記取付部材の支持部には、フックを係止可能なフック孔が形成されていることを特徴としている。
この特徴によれば、フックとフック孔との係止を利用して取付部材とパネル部材を簡便に接続することができる。
【００１１】
前記取付部材には、前記支柱の側方に延びる前記支持部を構成する延出片を備え、前記延出片にフックを係止可能なフック孔が形成されていることを特徴としている。
この特徴によれば、厚みの厚いパネル部材を支柱から側方にずれた延出片の位置でフックにより取付けることができる。
【００１２】
前記取付部材は、左右非対称に形成されており、天地反転した状態で前記支柱に取付け可能であることを特徴としている。
この特徴によれば、取付部材を天地反転させることで、段部の左右位置を変更できるので、１つの取付部材でパネル部材を取付け可能な使用形態が広がる。
【図面の簡単な説明】
【００１３】
【図１】本発明の実施例１における間仕切パネル装置を示す正面図である。
【図２】間仕切パネル装置の分解斜視図である。
【図３】実施例１における取付部材を示す斜視図である。
【図４】（ａ）〜（ｃ）は、実施例１における取付部材により厚みの異なるパネル部材同士を連設するパターンを示す上面断面図である。
【図５】本発明の実施例２における取付部材を示す斜視図である。
【図６】（ａ）〜（ｃ）は、実施例２における取付部材により厚みの異なるパネル部材同士を連設するパターンを示す上面断面図である。
【図７】取付部材の変形例を示す斜視図である。
【図８】取付部材の変形例を示す斜視図である。
【発明を実施するための形態】
【００１４】
本発明に係るパネル部材の取付構造を実施するための形態を実施例に基づいて以下に説明する。
【実施例１】
【００１５】
実施例１に係るパネル部材の取付構造につき、図１から図４を参照して説明する。以下、図１の紙面手前を間仕切パネル装置の正面側（前方側）とし、紙面左右を間仕切パネル装置の左右として説明する。
【００１６】
図１に示されるように、間仕切パネル装置１は主に室内のオフィス空間やショールーム等の空間を、その空間の利用目的に合わせて所望の広さに区分けするために設置されるものである。図１及び図２に示されるように、間仕切パネル装置１は、主に、左右方向に複数立設された支柱２と、これら支柱２の間に高さ方向に複数架けられた中間部材３と、支柱２、笠木レール５、巾木レール６、中間部材３により形成される枠に支持される複数のパネル部材４とにより構成されている。
【００１７】
図２に示されるように、支柱２は、アルミ材の押し出し加工により製作された上下方向に延びる長尺部材であり、天井面Ｒに沿って左右方向に延びる笠木レール５と、床面Ｆに沿って左右方向に延びる巾木レール６と、の間にジョッキ１０及びボラ１１を介して立設されている。また、支柱２の前面２ａ及び後面２ｂには、後述する取付部材７が支柱２の長手方向に沿って所定間隔毎に取付けられている。なお、支柱２は、薄肉鋼板を曲げ加工することにより製作されていてもよい。
【００１８】
中間部材３は、薄肉鋼板を曲げ加工することにより製作された左右方向に延びる長尺部材であり、支柱２の前面２ａ及び後面２ｂに上下に離間して２つ取付けられている。本実施例１の中間部材３は、上下に連結される３つの分割部材３Ａ，３Ｂ，３Ｃから構成されている。尚、ここでは、前側の中間部材３について説明する。
【００１９】
中間部材３において上段に位置する分割部材３Ａは、上方に開口する上向きコ字状を成し、底部３ａと、底部３ａの前端から立ち上がる前片部３ｂと、底部３ａの後端から立ち上がる後片部３ｃと、から構成されており、前片部３ｂは、後片部３ｃよりも上下方向に短寸に形成されている。尚、下段に位置する分割部材３Ｂは、分割部材３Ａを天地反転させた形状であるため、各部位に同一符号を付して説明を省略する。
【００２０】
中段に位置する分割部材３Ｃは、平板状を成し、上面に分割部材３Ａの底部３ａが溶接固定され、下面に分割部材３Ｂの底部３ａが溶接固定されている。尚、分割部材３Ａ，３Ｂは、分割部材３Ｃの後端側の辺に沿って固定されており、分割部材３Ｃの前端側は、分割部材３Ａ，３Ｂの前片部３ｂよりも前方側に張り出している。
【００２１】
このように形成された中間部材３は、分割部材３Ａ，３Ｂの後片部３ｃ，３ｃが支柱２の前面２ａにビスなどで固定されている。また、分割部材３Ｃの前端部には、パネル部材４の下端が載置されるようになっており、パネル部材４を支持できるようになっている。尚、パネル部材４の裏面側の上下端部には、図示しないフックが設けられており、分割部材３Ａ，３Ｂの前片部３ｂ，３ｂに上方向または下方向から係止されるようになっている。
【００２２】
パネル部材４は、薄肉鋼板を曲げ加工することにより成形された正面視矩形状の表面材と、該表面材の裏面に取付けられた断熱材と、から構成されている。本実施例１では、支柱２の前面２ａ及び後面２ｂに上下３段ずつ取付けられている。
【００２３】
具体的には、上段のパネル部材４は、左右の支柱２と、笠木レール５と、上側の中間部材３と、で形成される矩形枠に取付けられており、中段のパネル部材４は、左右の支柱２と、上下の中間部材３と、で形成される矩形枠に取付けられており、下段のパネル部材４は、左右の支柱２と、巾木レール６と、下側の中間部材３と、で形成される矩形枠に取付けられている。
【００２４】
前後に配置される上段のパネル部材４，４の上端部の間には、上段のパネル部材４，４の前後方向の距離を保持する介在部材８が配設されており、上段のパネル部材４，４の上端部同士が近接することを防止している。また、下段のパネル部材４，４の下端部の間には、巾木レール６を上方から被覆するカバー部材９が配置されており、下段のパネル部材４，４の下端部同士が近接することを防止している。尚、カバー部材９には、下段のパネル部材４，４の下端部が載置支持されている。
【００２５】
次に、取付部材７について説明する。図３に示されるように、取付部材７は、金属製の板材を曲げ加工と溶接により製作されている。具体的には、取付部材７は、支柱２の前面２ａまたは後面２ｂに平行に延び、該支柱２の前面２ａまたは後面２ｂに固定される被固定部７１，７２が左右に離間して配置されている。また、取付部材７は、右側の被固定部７１の右端部から該被固定部７１に対して垂直に前方に延びる第１垂直部７３と、第１垂直部７３の前端から被固定部７１に対して平行に左側に延びる第１平行部７４（支持部）と、第１平行部７４の左端から前方に延びる第２垂直部７５と、第２垂直部７５の前端から左側に延びる第２平行部７６（支持部）と、第２平行部７６の左端から被固定部７２の左端まで後方側に延びる第３垂直部７７と、第３垂直部７７の後端から左側に延びる第３平行部７８（支持部、延出片）と、被固定部７１の右端から後方側に延びる規制片部７９ａと、被固定部７２の左端から後方側に延びる規制片部７９ｂと、が設けられている。すなわち、取付部材７は、上面視において左右非対称に形成されている。
【００２６】
被固定部７１，７２には、取付部材７を支柱２の前面２ａまたは後面２ｂに固定するビス１３（図４参照）を挿入可能な孔部７１ａ，７２ａが形成されている。また、第１平行部７４、第２平行部７６、第３平行部７８には、縦長のスリット７４ａ，７６ａ，７８ａ（フック孔）が形成されている。このスリット７４ａ，７６ａ，７８ａには、フック部材１２の後端側のフック部１２ａが係止されるようになっている（図２及び図４参照）。尚、フック部材１２の前端側のフック部１２ｂは、パネル部材４の側端部の裏面に設けられたフック孔４ａ（図２及び図４参照）に係止可能となっている。
【００２７】
また、これら第１平行部７４、第２平行部７６、第３平行部７８の位置は、前後にずれて配置されている。具体的には、第１垂直部７３と第１平行部７４とにより、第１平行部７４を被固定部７１，７２よりも前方側に配置する段部７０Ａを構成している。また、第２垂直部７５と第２平行部７６とにより、第２平行部７６を第１平行部７４よりも前方側に配置する段部７０Ｂを構成している。また、第３垂直部７７と第３平行部７８とにより、第３平行部７８を被固定部７１，７２と略同一の前後位置（第１平行部７４及び第２平行部７６よりも後方側）に配置する段部７０Ｃを構成している。
【００２８】
次いで、取付部材７を用いてパネル部材４を取付ける形態を図４に基づいて説明する。尚、支柱２の前面２ａ側にパネル部材４が取付けられる形態のみ説明し、支柱２の後面２ｂ側に取付けられるパネル部材４及び取付部材７の説明及び図示を省略する。
【００２９】
本実施例１の取付部材７は、厚み寸法Ｌ１のパネル部材４Ａと、厚み寸法Ｌ２のパネル部材４Ｂとを左右に連設する場合（図４（ａ）参照）、または、厚み寸法Ｌ１のパネル部材４Ａと、厚み寸法Ｌ３のパネル部材４Ｃとを左右に連設する場合（図４（ｂ）（ｃ）参照）に用いられる。
【００３０】
先ず、厚み寸法Ｌ１のパネル部材４Ａと、厚み寸法Ｌ２のパネル部材４Ｂとを左右に連設する場合について説明する。図４（ａ）に示されるように、パネル部材４Ｂの厚み寸法Ｌ２は、パネル部材４Ａの厚み寸法Ｌ１よりも厚くなっている（Ｌ１＜Ｌ２）。パネル部材４Ａとパネル部材４Ｂとを左右に連設する場合には、先ず、支柱２の前面２ａに取付部材７をビス１３により固定する。このとき、規制片部７９ａ，７９ｂが支柱２の側面に接触するので、取付部材７を支柱２に対して傾かせることなく正確に且つ強固に取付けることができる。
【００３１】
次いで、第２平行部７６のスリット７６ａにフック部材１２の後端側のフック部１２ａを係止させるとともに、パネル部材４Ａのフック孔４ａにフック部材１２の前端側のフック部１２ｂを係止させる。このとき、パネル部材４Ａの右側面は、第２垂直部７５に連続するように前後方向に延びるとともに、パネル部材４Ａの裏面は、第２平行部７６の前面に接触している。
【００３２】
次いで、第１平行部７４のスリット７４ａにフック部材１２の後端側のフック部１２ａを係止させるとともに、パネル部材４Ｂのフック孔４ａにフック部材１２の前端側のフック部１２ｂを係止させる。このとき、パネル部材４Ｂの左側面は、パネル部材４Ａの右側面及び第２垂直部７５に亘って接触しており、パネル部材４Ｂの裏面は、第１平行部７４の前面に接触している。また、パネル部材４Ａの表面４ｂ及びパネル部材４Ｂの表面４ｃは、左右方向に面一に揃っている。換言すれば、第２垂直部７５の前後の長さが、パネル部材４Ａの厚み寸法Ｌ１とパネル部材４Ｂの厚み寸法Ｌ２との差分の前後の長さに設定されているので、該差分が均されてパネル部材４Ａの表面４ｂ及びパネル部材４Ｂの表面４ｃが面一に揃うようになっている。
【００３３】
次に、厚み寸法Ｌ１のパネル部材４Ａと、厚み寸法Ｌ３のパネル部材４Ｃとを左右に連設する場合について説明する。図４（ｂ）に示されるように、パネル部材４Ｃの厚み寸法Ｌ３は、パネル部材４Ａの厚み寸法Ｌ１よりも厚くなっているとともに、パネル部材４Ｂの厚み寸法Ｌ２よりも厚くなっている（Ｌ１＜Ｌ２＜Ｌ３）。
【００３４】
パネル部材４Ａとパネル部材４Ｃとを左右に連設する場合には、第２平行部７６のスリット７６ａにフック部材１２の後端側のフック部１２ａを係止させるとともに、パネル部材４Ａのフック孔４ａにフック部材１２の前端側のフック部１２ｂを係止させる。このとき、パネル部材４Ａの左側面は、第３垂直部７７に連続するように前後方向に延びるとともに、パネル部材４Ａの裏面は、第２平行部７６の前面に接触している。
【００３５】
次いで、第３垂直部７７のスリット７８ａにフック部材１２の後端側のフック部１２ａを係止させるとともに、パネル部材４Ｃのフック孔４ａにフック部材１２の前端側のフック部１２ｂを係止させる。このとき、パネル部材４Ｃの右側面は、パネル部材４Ａの左側面及び第３垂直部７７に亘って接触しており、パネル部材４Ｃの裏面は、第３平行部７８の前面に接触している。また、パネル部材４Ａの表面４ｂ及びパネル部材４Ｃの表面４ｄは、左右方向に面一に揃っている。換言すれば、第３垂直部７７の前後の長さが、パネル部材４Ａの厚み寸法Ｌ１とパネル部材４Ｃの厚み寸法Ｌ３との差分の前後の長さに設定されているので、該差分が均されてパネル部材４Ａの表面４ｂ及びパネル部材４Ｃの表面４ｄが面一に揃うようになっている。
【００３６】
また、図４（ｃ）に示されるように、取付部材７は、支柱２に対して天地反転させて取付けることができるようになっている。これによれば、パネル部材４Ａとパネル部材４Ｃの取付位置を左右反転させることができる。具体的には、図４（ｂ）のように、パネル部材４Ａを支柱２の右側に、パネル部材４Ｃを支柱２の左側に配置するパターンと、図４（ｃ）のように、パネル部材４Ａを支柱２の左側に、パネル部材４Ｃを支柱２の右側に配置するパターンと、を選択できるようになっている。このように、取付部材７を天地反転させることで、第１平行部７４、第２平行部７６、第３平行部７８の左右位置を変更できるので、１つの取付部材７で複数のパネル部材４Ａ〜４Ｃを取付ける使用形態が広がる。
【００３７】
尚、本実施例１では、取付部材７に対して、パネル部材４Ａを取付けた後、パネル部材４Ｂまたはパネル部材４Ｃを取付ける形態を例示したが、パネル部材４Ｂまたはパネル部材４Ｃを取付部材７に取付けた後、パネル部材４Ａを取付けてもよい。また、取付部材７にパネル部材４Ａ〜４Ｃを取付けた後、取付部材７を支柱２に取付けるようにしてもよい。
【００３８】
以上説明したように、取付部材７は、前後方向の位置が異なる第１平行部７４、第２平行部７６、第３平行部７８を有し、パネル部材４Ａ〜４Ｃは、第１平行部７４、第２平行部７６、第３平行部７８に取付けられることで、支柱２の前面２ａから隣接するパネル部材４Ａ〜４Ｃ同士の表面４ｂ〜４ｄまでの前後方向の距離がそれぞれ一致するようになっているため、厚みの異なるパネル部材４Ａ〜４Ｃの表面４ｂ〜４ｄを面一に揃えることができるようになっている。すなわち、隣接するパネル部材４Ａ〜４Ｃの表面４ｂ〜４ｄに前後方向の段差が生じないので、美観に優れた間仕切パネル装置１を構成することができる。
【００３９】
また、段部７０Ａ〜７０Ｃに沿ってパネル部材４Ａ〜４Ｃを配置できるので、パネル部材４Ａ〜４Ｃの左右の位置決めを行うことができ、パネル部材４Ａ〜４Ｃの対向する側端面同士を揃えて配置することができる。詳しくは、図４（ａ）の形態にあっては、第２垂直部７５に沿ってパネル部材４Ａ，４Ｂが接触され、図４（ｂ）（ｃ）の形態にあっては、第３垂直部７７に沿ってパネル部材４Ａ，４Ｃが接触されるようになっており、パネル部材４Ａとパネル部材４Ａ，４Ｃとの間に左右方向の隙間が形成されないので、美観に優れた間仕切パネル装置１を構成することができる。
【００４０】
また、パネル部材４Ａとパネル部材４Ａ，４Ｃとは、支柱２の近傍で左右に連設されているため、パネル部材４Ａ〜４Ｃに外力がかかっても、該外力を支柱２で受けることができる。したがって、支柱２から左右に離れた位置でパネル部材４Ａ〜４Ｃを左右に連設する場合に比べて、取付部材７に必要な強度が小さくて済む。
【００４１】
また、取付部材７は、第１平行部７４、第２平行部７６、第３平行部７８が金属製の板材により一体に形成されているので、パネル部材４Ａ〜４Ｃを支持する第１平行部７４、第２平行部７６、第３平行部７８の強度を高めることができる。また、略Ｌ字状を成す複数の段部７０Ａ〜７０Ｃにより取付部材７の強度が向上している。
【００４２】
また、第１平行部７４、第２平行部７６、第３平行部７８には、スリット７４ａ，７６ａ，７８ａが設けられており、スリット７４ａ，７６ａ，７８ａに係止されるフック部材１２によりパネル部材４Ａ〜４Ｃを取付けることができるようになっている。このように、スリット７４ａ，７６ａ，７８ａとフック部材１２の係止を利用して取付部材７とパネル部材４Ａ〜４Ｃを簡便に取付けることができる。
【００４３】
また、取付部材７には、支柱２の側方に延びる第３平行部７８が形成されており、第３平行部７８には、スリット７８ａが形成されている。これによれば、支柱２の側方にずれた第３平行部７８のスリット７８ａにフック部材１２を係止させることができるので、フック部材１２が支柱２に干渉することが回避され、第３平行部７８に厚みの厚いパネル部材４Ｃを取付けることができる。尚、連設されるパネル部材の左右方向の幅寸法に合わせて支柱２を左右方向に位置調整できることが好ましい。これによれば、左右方向の幅寸法が異なるパネル部材を複数種類用意することなく、間仕切パネル装置１を構成できる。
【００４４】
尚、本実施例１では、取付部材７により支柱２の近傍にパネル部材４Ａとパネル部材４Ａ，４Ｃとが取付けられる形態を例示したが、取付部材７の支持部を支柱２から側方にずらして形成し、支柱２から離れた位置にパネル部材４Ａとパネル部材４Ａ，４Ｃとが取付けられてもよい。また、本実施例１では、取付部材７が支柱２に対してビス１３により固定される形態を例示したが、フック等の連結部材により取付部材７が支柱２に接続されてもよい。
【実施例２】
【００４５】
次に、実施例２に係るパネル部材の取付構造につき、図５及び図６を参照して説明する。尚、前記実施例１と同一構成で重複する構成の説明を省略する。
【００４６】
図５に示されるように、本実施例２の取付部材１７０は、左右方向に分割された３つの分割部材１７１，１７２，１７３から構成されている。分割部材１７１は、被固定部７１と、第１垂直部７３と、第１平行部７４と、規制片部７９ａと、を備えている。分割部材１７２は、第２垂直部７５と、第２平行部７６と、第３垂直部７７と、被固定部７２と、規制片部７９ｂと、を備えている。分割部材１７３は、第３平行部７８と、第３平行部７８の一方の側端部から後方に略直角に延びる取付片部７８ｂと、を備えている。
【００４７】
分割部材１７２における規制片部７９ｂには、ネジ孔部７９ｃが形成されているとともに、分割部材１７１における被固定部７１、及び分割部材１７２における被固定部７２には、上下方向に延びる長孔７１ｂ，７２ｂが形成されている。また、分割部材１７３における取付片部７８ｂには、ネジ孔部７９ｃと対応する貫通孔部が形成されており、分割部材１７３を分割部材１７２の規制片部７９ｂに対してネジ１４により接続できるようになっている。
【００４８】
次いで、取付部材１７０を用いてパネル部材４を取付ける形態を図６に基づいて説明する。本実施例２の取付部材１７０は、パネル部材４Ａとパネル部材４Ｂとを左右に連設する場合（図６（ａ）参照）、パネル部材４Ｂとパネル部材４Ｃとを左右に連設する場合（図６（ｂ）参照）、パネル部材４Ａとパネル部材４Ｃとを左右に連設する場合（図６（ｃ）参照）に用いられる。
【００４９】
先ず、パネル部材４Ａとパネル部材４Ｂとを左右に連設する場合について説明する。図６（ａ）に示されるように、先ず、支柱２の前面２ａに取付部材１７０を取付ける。具体的には、本実施例２の支柱２の前面２ａには、左右２列のフック孔２ｃ，２ｄが上下方向に複数設けられており、右のフック孔２ｃに係止されるフック部材１２に分割部材１７１の長孔７１ｂを係止させ、左のフック孔２ｄに係止されるフック部材１２に分割部材１７２の長孔７２ｂを係止させる。そして、第２平行部７６の前面にパネル部材４Ａをフック部材１２により取付けるとともに、第１平行部７４の前面にパネル部材４Ｂをフック部材１２により取付ける。これにより、パネル部材４Ａの表面４ｂ及びパネル部材４Ｂの表面４ｃが左右方向に面一に揃うようになっている。尚、図６（ａ）に示されるように、使用しない分割部材１７３は取外していてもよい。
【００５０】
次いで、パネル部材４Ｂとパネル部材４Ｃとを左右に連設する場合について説明する。図６（ｂ）に示されるように、先ず、支柱２の前面２ａの右のフック孔２ｃに係止されるフック部材１２に分割部材１７１の長孔７１ｂを係止させるとともに、第１平行部７４の前面にフック部材１２によりパネル部材４Ｂを取付ける。また、支柱２の前面２ａの左のフック孔２ｄに係止されるフック部材１２にパネル部材４Ｃを取付ける。これにより、パネル部材４Ａの表面４ｂ及びパネル部材４Ｃの表面４ｄが左右方向に面一に揃うようになっている。すなわち、分割部材１７１が取付部材１７０として機能している。
【００５１】
次いで、パネル部材４Ａとパネル部材４Ｃとを左右に連設する場合について説明する。図６（ｃ）に示されるように、支柱２のフック孔２ｄに係止されるフック部材１２に分割部材１７２の長孔７２ｂを係止させる。このとき、分割部材１７３を分割部材１７２に対してネジ１４により接続しておく。
【００５２】
次いで、分割部材１７２における第２平行部７６の前面にパネル部材４Ａをフック部材１２により取付けるとともに、分割部材１７３における第３平行部７８の前面にパネル部材４Ｃをフック部材１２により取付ける。これにより、パネル部材４Ａの表面４ｂ及びパネル部材４Ｃの表面４ｄが左右方向に面一に揃うようになっている。すなわち、分割部材１７２と分割部材１７３とが取付部材１７０として機能している。
【００５３】
このように、取付部材１７０は、左右方向に分割された複数の分割部材１７１，１７２，１７３により構成されており、これら分割部材１７１，１７２，１７３は、支持部としての第１平行部７４、第２平行部７６、第３平行部７８がそれぞれ設けられているので、分割部材１７１，１７２，１７３の組み合わせにより様々な位置に第１平行部７４、第２平行部７６、第３平行部７８を配置した取付部材１７０を構成することができ、左右に連設する厚みの異なるパネル部材４Ａ〜４Ｂの組み合わせのパターンに対応できる。
【００５４】
尚、本実施例２では、分割部材１７３が分割部材１７２の規制片部７９ｂに対してネジ１４により接続される形態を例示したが、分割部材１７３を左右反転させ、分割部材１７１の規制片部７９ａに設けられたネジ孔部７９ｃにネジ１４により分割部材１７３を接続してもよい。また、本実施例２では、取付部材が３つの分割部材により構成される形態を例示したが、４種類以上の分割部材を用意して、より多くのパネル部材の組み合わせに対応できるようにしてもよい。
【００５５】
また、本実施例２では、分割部材１７１，１７２は、別個に支柱２に取付けられることで一体化される形態を例示したが、分割部材１７１，１７２をネジ等で固定することで一体化されてもよい。また、分割部材１７３は、分割部材１７１，１７２に対してネジ１４により接続される形態を例示したが、別個に支柱２に取付けられることで一体化されてもよい。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例１，２では、左右非対称を成す取付部材について説明したが、取付部材は、左右対称に形成されていてもよい。例えば、図７に示されるように、取付部材２７０は、２つの分割部材２７１，２７２により構成されている。分割部材２７１，２７２は、支柱２の側方に張り出す第１支持部２７３と、第１支持部２７３よりも前方に配置される第２支持部２７４と、をそれぞれ有している。これによれば、パネル部材を取付ける第１支持部２７３及び第２支持部２７４を選択できるので、２種類の厚さの異なるパネル部材を連設することができる。また、分割部材２７１，２７２のうち片方のみを支柱２に取付け、一方のパネル部材は分割部材に取付け、他方のパネル部材は支柱２に直接取付けることで３種類の厚さの異なるパネル部材にも対応できる。また、分割部材２７１，２７２が同一形状をなすため、１種類の分割部材を用意すればよく、分割部材の製造が簡便である。
【００５８】
また、前記実施例１，２では、取付部材が支柱の上下方向に複数取付けられる形態を例示したが取付部材は、支柱の上下方向に沿って延びるように形成されていてもよい。
【００５９】
また、前記実施例１，２では、フック部材により取付部材に対してパネル部材を取付ける形態を例示したが、ビスやその他固定手段により取付部材に対してパネル部材を取付けてもよい。
【００６０】
また、前記実施例１，２では、パネル部材を取付けたときに、支持部がパネル部材の裏面に面接触する形態を例示したが、支持部は、パネル部材を支持することができ、且つパネル部材の前後方向の位置決めをできる構成であればよく、パネル部材の裏面に対して線接触または点接触するようなものであってもよい。
【００６１】
また、前記実施例１の図４（ａ）の形態や、前記実施例２の図６（ａ），（ｂ）の形態は、支柱２の左右中央で隣接するパネル部材４Ａ，４Ｂ，パネル部材４Ｂ，４Ｃの側面同士を突き合わせている。これによれば、連設するパネル部材４Ａ〜４Ｃの左右方向の幅寸法を一定にできるため、支柱２間に対するパネル部材４Ａ〜４Ｃの組み換えを簡便に行うことができる。
【００６２】
また、厚みの異なるパネル部材を支柱２の左右中央で突き合わせる変形例として次のようなものもある。図８（ａ）に示されるように、本変形例の取付部材３７０は、支柱２の左右方向の幅寸法の略半分の幅寸法を有し断面視矩形状を成す。この取付部材３７０を支柱２の右側半分に取付け、取付部材３７０の前面にパネル部材４Ａを取付けるとともに、パネル部材４Ｃを支柱２の左側半分に取付ける。このように、厚みの異なるパネル部材４Ａ，４Ｃを支柱２の左右中央で突き合わせることができるので、パネル部材４Ａ，４Ｃの左右方向の幅寸法を一定にできる。尚、図８（ｂ）に示されるように、取付部材３７０を支柱２の左側半分に取付けることで、パネル部材４Ａとパネル部材４Ｃの取付位置を左右反転させることができる。
【符号の説明】
【００６３】
１                間仕切パネル装置
２                支柱
３                中間部材
４，４Ａ〜４Ｃ    パネル部材
５                笠木レール
６                巾木レール
７                取付部材
１２              フック部材（フック）
７４              第１平行部（支持部）
７４ａ            スリット（フック孔）
７６              第２平行部（支持部）
７６ａ            スリット（フック孔）
７８              第３平行部（支持部）
７８ａ            スリット（フック孔）
１７０            取付部材
１７１〜１７３    分割部材
２７０            取付部材
２７１，２７２    分割部材
２７３            第１支持部（支持部）
２７４            第２支持部（支持部）
【図１】
2020070698.tif 000003
【図２】
2020070698.tif 000004
【図３】
2020070698.tif 000005
【図４】
2020070698.tif 000006
【図５】
2020070698.tif 000007
【図６】
2020070698.tif 000008
【図７】
2020070698.tif 000009
【図８】
2020070698.tif 000010